(57)【要約】  本発明（１０）は、複数の柔軟なブレード状要素（２８）を有する、親指の基節骨（３０）全体にわたりほぼ配置されている細長いエラストマーベース部材（３４）を備え、それによって、グローブの着用者（２３）がその親指の部分（３０）を伸ばし、そして、柔軟なブレード状要素（２８）を使用して、たった一度の動作で、その着用者の視界をまったく遮ることなく、目の保護用具（２４）の透明なひさし部分（２０）を拭き取ることが可能なグローブ（１１）を開示している。その細長いエラストマー部材（３４）は、接着、縫い合わせ、あるいは、リベット締めなどの技術において周知のあらゆる手段（４６）によって、細長いエラストマー部材（３４）をグローブの外側層（３６）および／または内側層（４２）に固定して配置するための手段（４６）をもたらす、外側のグローブ材料（３６）と内側グローブライナー（１４）との間に位置される平坦なフランジ要素（４０）に応じて開口（３８）を延通する、グローブ（１１）の外側に配置される複数の柔軟なブレード状要素（２８）から構成されている。
2005513303.tif 000002
【特許請求の範囲】
【請求項１】
ひさしのついているヘルメットをかぶっている着用者の手に嵌められるグローブにおいて、前記グローブが、親指の部分を有し、前記グローブが、外側層と内側層とを有し、前記改良された製品が、
ａ）前記グローブの親指の部分に配置されているベース部材であり、前記ベース部材が、ほぼ矩形形状であり、前記ベース部材が、前記グローブの親指の部分に沿って長手方向に配置されている、ベース部材と；
ｂ）前記ベース部材を前記グローブの親指の部分に取り付ける手段と；
ｃ）前記ベース部材に配置されている複数のブレード状要素であり、前記ブレード状要素が、前記ヘルメットのひさしを拭き取るために前記ベース部材に沿って長手方向に配置されている、複数のブレード状要素と
を備えている、グローブ。
【請求項２】
前記ベース部材が、エラストマー（ゴム弾性体）である、請求項１に記載の装置。
【請求項３】
前記ブレード状要素が、エラストマーである、請求項１に記載の装置。
【請求項４】
前記ベース部材が、さらにまた、前記グローブへの接続のためのフランジを備えている、請求項１に記載の装置。
【請求項５】
前記グローブの親指の部分の外側層が、その中に開口を有している、請求項４に記載の装置。
【請求項６】
前記開口が、相補的に、前記ベース部材の前記フランジを受容するような大きさに作られている、請求項５に記載の装置。
【請求項７】
前記ベース部材の前記フランジが、前記グローブの親指の部分の前記外側層と内側層との間に配置されている、請求項６に記載の装置。
【請求項８】
前記グローブの親指の部分の前記外側層が、さらにまた、前記ベース部材の前記フランジに折り重なるフラップを備え、前記フラップが、前記フランジ全体にわたり防水加工したカバーを形成する、請求項７に記載の装置。
【請求項９】
前記ベース部材を前記グローブの親指の部分に取り付ける前記手段が、前記フランジを前記グローブの親指の部分の前記外側層と内側層とに縫い合わせるステップを備えている、請求項８に記載の装置。
【請求項１０】
前記ベース部材を前記グローブの親指の部分に取り付ける前記手段が、さらにまた、前記フランジを前記グローブの親指の部分の前記外側層と内側層とに接着するステップを備えている、請求項８に記載の装置。
【請求項１１】
前記ベース部材を前記グローブの親指の部分に取り付ける前記手段が、さらにまた、前記フランジを前記グローブの親指の部分の前記外側層と内側層とにリベット締めするステップを備えている、請求項８に記載の装置。
【請求項１２】
前記複数のブレード状要素は、高さが変えられ、それによって、いくつかの要素が、他の要素よりも長い、請求項１に記載の装置。
【請求項１３】
前記ブレード状要素の前記長い要素が、前記短いブレード状要素に比べていっそう柔軟である、請求項１２に記載の装置。
【請求項１４】
前記ベース部材が、前記グローブの親指の部分の横表面に配置されている、請求項１に記載の装置。
【請求項１５】
さらにまた、前記グローブの前記内側層の内部に配置される絶縁層を備え、前記ベース部材が、前記取り付けるための手段によって、それに取り付けられる、請求項１に記載の装置。
【発明の詳細な説明】
【技術分野】
【０００１】
本発明は、一般に、グローブに関し、具体的には、複数の曲げやすいブレード状要素を有する、ほぼ親指の基節骨全体にわたり配置されている細長いエラストマー部材を備え、それによって、グローブの着用者がその親指の部分を伸ばし、そして、曲げやすいブレード状要素を使用して、たった一度の動作で、その着用者の視界をまったく遮ることなく、目の保護用具の透明な部分を拭き取ることが可能なグローブに関する。
【０００２】
その細長いエラストマー部材は、接着、縫い合わせ、あるいは、リベット締めなどの技術において周知のあらゆる手段によって、前記細長いエラストマー部材をグローブの外側層および／または内側層に固定して配置する手段をもたらす、外側のグローブ材料と内側グローブライナーとの間に位置される平坦なフランジ要素に応じて開口を延通する、グローブの外側に配置される複数の柔軟なブレード状要素から構成されている。
【０００３】
本発明のグローブは、スノーモービル乗り、オートバイ乗り、スキーヤー、ＡＴＶライダー、消防士のシールド、そして、天候状況、または、環境状況のために遮られることがあるヘルメットのフェイスシールド、あるいは、目の保護用具をつけるその他の人のために設計されている。
【０００４】
モータ付き車両は、それらが、無視できない後続の間隔に対し、湿った粒子物質を放射すると考えられるときに、人の事故は、飛躍的に増大される。それは、その湿った粒子物質が目の保護具、あるいは、フェースシールドに蓄積する場合、覆いのない後続車両のライダーにとって特に危険となる。透明な要素をきれいにしようとすると、結果として粒子物質を塗り付けることを生ずることがあり、視界が悪くなることがある。
【背景技術】
【０００５】
特定の機能を有する他のグローブがあり、それらのいくつかは、ゴーグル、あるいは、眼鏡をきれいにするように設計される視界をきれいにする装置を有している。１９７７年１０月４日にＨｏｗａｒｄへ発行された米国特許第４，０５１，５５３号が、これらの代表である。
【０００６】
別の特許は、米国特許第４，２２４，６９２号として１９８０年９月３０日にＳｕｎｄｂｅｒｇに取得された。さらにもう一つの米国特許第４，４４１，２１３号は、１９８４年４月１０日にＴｒｕｍｂｌｅらに取得され、そして、そのうえにさらにもう一つの米国特許第４，７５７，５５６号としてＧｉｒａｒｄに１９８８年７月１９日に取得された。
【０００７】
別の特許は、米国特許第４，７８７，１１３号として１９８８年１１月２９日にＫａｍｅｎｓｋｅに取得された。さらにもう一つの米国特許第４，８４７，９１５号は、１９８９年７月１８日にＫｅｅｎｅに取得された。もう一つは、米国特許第４，８８１，２７６号として１９８９年１１月２１日にＳｗａｎに取得され、そして、そのうえにさらにもう一つの米国特許第５，８４８，４４０号としてＰａｊａｒｏｌａに１９９８年１２月１５日に取得された。
【０００８】
別の特許は、米国特許第５，８８７，２８２号として１９９９年３月３０日にＬｅｎｈａｒｔに取得された。さらにもう一つの米国特許第６，０１４，７７５号は、２０００年１月１８日にＭｉｓｓｒｙに取得され、そして、そのうえにさらにもう一つの米国特許第６，０１８，８３７号としてＡｎｄｒｅｕに２０００年２月１日に取得された。
【０００９】
米国特許第４，０５１，５５３号
発明者：Ａｒｔｈｕｒ  Ｒ．Ｈｏｗａｒｄ
取得日：１９７７年１０月４日
フットボールに関して、硬質気泡ゴムパッドが、軽量のコットングローブの手の甲の部分に固定されている。このパッドは、グローブ内に挿入される手の指関節（中手指節関節）全体にわたり延在している。このパッドは、意識的に行われないで、それらの指を自然に曲げさせるように成型されているが、意識的に行うと、それらの指が、まっすぐにされることを可能とする。それらの指を曲げることによって、指が手の甲全体に弓なりにされて、結果として起こる怪我の可能性は、大いに減少される。そのパッドは、さらに、直接の怪我から手の甲を保護する。その上、グローブの指の部分、親指の部分および手のひらの部分に固定されるラテックスゴムにより、運動選手が、いともたやすくボールをつかむことを可能にする。
【００１０】
米国特許第４，２２４，６９２号
発明者：Ｄａｒｒｅｌｌ  Ｗ．Ｓｕｎｄｂｅｒｇ
取得日：１９８０年９月３０日
多層の作業手袋は、着用者の手に直接接触し、そして、包む二つの部分の内側ファブリックライニングの形をしており、サイドシームにより、プラスチック材料の外側表面層が、そのファブリックライニングに接着される二つの部分を結合して形成され、そして、複数の通気口が、その内側ファブリックライニングと、加工品の接触面の外側にある手の指の部分および親指の部分との間のみずかき位置におけるプラスチック材料の外側表面層とを貫通して形成されている。
【００１１】
米国特許第４，４４１，２１３号
発明者：Ｗｉｌｌｉａｍ  Ｐ．Ｔｒｕｍｂｌｅ他
取得日：１９８４年４月１０日
特に、送電線あるいは装置の近くで使用するためのフレキシブルで、引き裂き抵抗力のある保護グローブは、特に、高圧保護に適する天然ゴムの内側層と、それへ接着されるウレタンエラストマーの外側層とを有し、そして、引き裂き抵抗および摩耗抵抗をもたらす単一の構造からなる。膨らみ部は、過剰の材料を与えるように、グローブの主要部分の甲の部分全体にわたり、そして、各指と親指の部分の甲の部分全体にわたり形成され、それにより、グローブによる制約なく、つかむための指の部分と親指の部分との容易な接着を可能とする。
【００１２】
米国特許第４，７５７，５５６号
発明者：Ｄｏｎａｌｄ  Ａ．Ｇｉｒａｒｄ
取得日：１９８８年７月１９日
スキーヤー、オートバイ乗り、または、ゴーグル、あるいは、眼鏡をかけるその他の人のためのグローブ。そのグローブは、手のひらの部分および指の部分の近接した前方部分を覆うフロントグローブ部分と、そのフロント部分の対辺を接続し、そして、手および指の残部を包囲する包囲部分とを有する。短くて、フレキシブルだが、多少の剛性のあるスキージは、前記包囲部分に固定され、そして、それから外方に延在し、そのために、着用者は、ゴーグル、あるいは、眼鏡からその上に積もる雪、あるいは、雨を取り除くために、そのスキージを使用することが可能である。
【００１３】
米国特許第４，７８７，１１３号
発明者：Ｄａｖｉｄ  Ｒ．Ｋａｍｅｎｓｋｅ
取得日：１９８８年１１月２９日
ベース部分を備えるオペレータの手の甲に取り付けられるスキージ；ストラップが好ましい装置などの、そのベース部分をオペレータの手に取り付ける装置、その下方端部において前記ベースに取り付けられる上方に突出する部分であり、その上方に突出する部分が、良好な拭き取り特性に十分なほどにフレキシブルで薄い、上方に突出する部分。外方に突出する部分は、スキージで拭き取られる円滑な表面の水の頂部を乗り越える傾向を回避するのに十分なほど厚い。
【００１４】
米国特許第４，８４７，９１５号
発明者：Ｈｏｗａｒｄ  Ｂ．Ｋｅｅｎｅ
取得日：１９８９年７月１８日
本発明は、フレキシブルな手首に近い部分の構造を有するベースボール用グローブに関する。そのグローブは、グローブの前壁を形成するフロントパネルと、グローブの後壁を形成するバックパネルとを備え、それらフロントパネルおよびバックパネルは、指の区画と親指の区画とを有するグローブのシェルを形成するためにグローブの周辺マージンにおいて互いに固着されている。手のひらの部分のライナーパネルを有するライナーは、シェルの内側に配置される。グローブのフロントパネルおよび手のひらの部分のライナーパネルは、フロントパネルの外側面が手のひらの部分のライナーパネルの外側面と対面する状態にあるように配置される下方エッジマージンを有する。そのエッジマージンは、視界からほぼ隠されるステッチで、グローブの底全体にわたって走るフレキシブルな手首に近い部分のシームを形成するために互いに縫い合わされる。比較的薄くて、フレキシブルな手首に近い部分のパッドは、フロントパネルと、手首に近い部分のシームの上の手のひらの部分のライナーパネルとの間に配置される。そのフロントパネルおよび手のひらの部分のライナーパネルは、前述のフレキシブルな手首に近い部分のシームによって互いに固着されるので、フレキシブルな手首に近い部分の構造を形成するために、フレキシブルな手首に近い部分のバッドと組合せ、それにより、いっそうフレキシブルになり、グローブの閉鎖を容易にする。
【００１５】
米国特許第４，８８１，２７６号
発明者：Ｒｉｃｈａｒｄ  Ｌ．Ｓｗａｎ
取得日：１９８９年１１月２１日
低い摩擦係数のエリアを有する少なくとも一つの指の部分、あるいは、親指の部分と、高い摩擦係数のエリアを有する少なくとも一つの反対側の指の部分、あるいは、親指の部分とを含む寒い天候でのスポーツ用グローブ。前記グローブは、圧縮製ネオプレン気泡ゴムの層で形成され、それは、高い摩擦係数を有するグローブの外側表面を形成する。ナイロンパッドは、予め選択された指の部分、あるいは、親指の部分の両末端部において気泡ゴム層の外側表面に結合される。ナイロンパッドによって形成される低い摩擦のエリアにより、着用者が、着用者の指、あるいは、親指と、使用される装置との間に相対的な滑り動作を必要とする機能を行うことを可能にする。気泡ゴム層によって形成される高い摩擦のエリアにより、着用者が、その圧縮性のために、いっそうの感度と精度とで物体をつかみ、そして、離すことを可能とする、フィッシングにおいて、グローブの親指の部分および人差し指の部分は、低い摩擦係数を有することが好ましい。ハンティングにおいて、グローブの人差し指の部分は、その手のひら部分の側と手の甲の部分の側との両方において低い摩擦係数のエリアによって覆われることが好ましい。アーチェリーにおいて、人差し指の部分、中指の部分および小指の部分は、弓弦が、離されるときにその上をスライドすることを可能にするために、それらの手のひらの部分の側に低い摩擦係数のエリアを有することが好ましい。スノーモービル用ミットにおいて、人差し指の部分は、低い摩擦係数のエリアを有するのに対して、親指の部分およびミットの部分は、高い摩擦係数のエリアによって覆われることが好ましい。
【００１６】
米国特許第５，８４８，４４０号
発明者：Ｎａｎｄｏ  Ｐａｊａｒｏｌａ
取得日：１９９８年１２月１５日
特に、スキー、あるいは、スノーボードなどのスポーツ競技中、着用者の親指のための選択的な保護をもたらし、または、その保護から親指の解放をもたらすために、そのグローブには、グローブの手のひらの部分の表面を少なくとも一部分横切って通過し、そして、ゆったりとした、あるいは、隆起した部分を有するストラップ（１５）が形成され、手のひらの部分と共に、ループ（１３）を画定し、グローブの親指の部分は、保護、あるいは、引っ込めるためにそれを通して通過されることが可能である。前記ストラップ（１５）は、一つの側のグローブの第二指の部分、あるいは、人差し指の部分の根元から、そして、ループのもう一つの側で、グローブの第三指の部分および／または第四指の部分の領域において横方向に取り付けられている。アタッチメント部材（１５ａ）の一つは、たとえば、フックとループ接続によって形成され、取り外し可能であり、そして、再接続可能であることが好ましい。
【００１７】
米国特許第５，８８７，２８２号
発明者：Ｋｌａｕｓ  Ｌｅｎｈａｒｔ
取得日：１９９９年３月３０日
スキーストック、クロスカントリー用ストック、ハイキング用ステッキ、ステッキおよび類似のものなどのストック状のための一体化したリストストラップを有するグローブは、手のひらの部分の側と、甲の部分の側と、リスト部分と、親指関節部分とを画定する上方表面を有する。前記リストストラップは、グローブと一体的に形成され、そして、リスト部分まわりをくるむ周辺調節可能なループ部分と、親指関節部分の領域におけるグローブの手のひらの部分の側に延在するアタッチメント部分と、グローブの外側に延在するプルタブとを含む。さらに、アタッチメント部分とプルタブとに取り付けられる結合要素が含まれている。その結合要素、アタッチメント部分およびプルタブは、グローブの手のひらの部分の側の親指関節部分に近接して位置される。プルタブは、少なくとも一部分は伸縮性素材として具体化され、そして、上方表面に剥離自在に固定されている。
【００１８】
米国特許第６，０１４，７７５号
発明者：Ｅｚｒａ  Ｍｉｓｓｒｙ
取得日：２０００年１月１８日
小指の部分を係合する小指係合部分と、薬指の部分を係合する薬指係合部分と、中指の部分を係合する中指係合部分と、人差し指の部分を係合する人差し指係合部分と、親指の部分を係合する親指係合部分と、手のひらの部分を係合する手のひら係合部分と、手の甲の部分を係合する手の甲係合部分と、リストの部分を係合するリスト係合部分とを有する形式の改良されたゴルフ用グローブであり、そして、その手の甲部分に沿って長手方向に延在する貫通スロットと、その手の甲部分への固定エッジにおいて、その貫通スロットの一つの側に固着され、そしてそれから貫通スロット全体にわたり、貫通スロットのもう一つの側の手の甲の部分に延在する取り付けフラップとを有し、そこで、それは、フックとループファスナーの部分と噛み合うことによって、選択的にそれに対して維持される。この改良された製品は、取り付けフラップに含有される一対の磁石を含む。その一対の磁石は、尺骨動脈、豆状骨および尺骨神経の血流を促進する役割を果たす。改良された血流は、治療方法の役割を果たし、同時に、プレー中の感触を改善する。
【００１９】
米国特許第６，０１８，８３７号
発明者：Ｅｌｉｚａｂｅｔｈ  Ｍ．Ａｎｄｒｅｕ
取得日：２０００年２月１日
洗浄と掃除とに有用な防水加工したグローブを提供する掃除・洗浄グローブ。発明工夫に満ちた装置は、着用者の手にフィットするために、協働して互いに結合される手のひら部分と、甲の部分と、指の部分の区画と、親指の部分の区画とを含む防水加工したグローブを含む。ほぼフレキシブルな洗浄材料は、指の部分の区画のそれぞれと、親指の部分の区画とに配置され、そして、ほぼフレキシブルな吸収性材料は、グローブの手のひらの部分に供給され、それによって、同じグローブでの異なるタイプの洗う作用を容易にする。
【００２０】
特定の機能を有し、ゴーグル、あるいは、眼鏡をきれいにするように設計される視界をきれいにする装置を有するこれらのいくつかは、それらが設計された目的には適するが、それらは、下文で説明されるように、本発明の目的に適していない。
【発明の開示】
【発明が解決しようとする課題】
【００２１】
本発明は、複数の柔軟なブレード状要素を有する、ほぼ親指の基節骨全体にわたり配置されている細長いエラストマー部材を備え、それによって、グローブの着用者が、その親指の部分を伸ばし、そして、柔軟なブレード状要素を使用して、たった一度の動作で、その着用者の視界をまったく遮ることなく、目の保護用具の透明なひさし部分を拭き取ることが可能なグローブを開示している。その細長いエラストマー部材は、接着、縫い合わせ、あるいは、リベット締めなどの技術において周知のあらゆる手段によって、その細長いエラストマー部材をグローブの外側層および／または内側層に固定して配置するための手段をもたらす、外側のグローブ材料と内側グローブライナーとの間に位置される平坦なフランジ要素に応じて開口を延通する、グローブの外側に配置される複数の柔軟なブレード状要素から構成されている。
【００２２】
本発明の主要な目的は、前記透明な要素に蓄積することがある、湿った粒子物資の目を保護する視覚的に透明な要素をきれいにする手段を有する一つのグローブまたは複数のグローブを提供することである。
【００２３】
本発明の別の目的は、ほぼ親指の基節骨全体にわたり外側に配置され、そして、それに平行に延在する細長いエラストマー部材を有する一つのグローブを提供することである。
【００２４】
本発明のさらにもう一つの目的は、その上に配置される複数の柔軟なブレード状要素を有する細長いエラストマー部材を備える一つのグローブを提供することである。
【００２５】
本発明のそのうえにさらにもう一つの目的は、内側ライナー層と、親指の外側に平行に、そして、全体にわたって、延在する細長い開口を有する外側表面層とを備える一つのグローブを提供することである。
【００２６】
本発明の別の目的は、第一のグローブ外側層と第二のグローブの内側層との間に存在する平坦なベースフランジ要素を有する細長いエラストマー部材を提供することである。
【００２７】
本発明のさらにもう一つの目的は、前記外側グローブ層および／または前記内側グローブライナーとに前記細長いエストラマー部材を固定して配置する平坦なフランジ要素をもたらす手段を有する細長いエラストマー部材を提供することである。
【００２８】
本発明のそのうえにさらにもう一つの目的は、接着、縫い合わせ、あるいは、リベット締めなどの技術において周知のあらゆる手段によって、前記グローブに取り付けられる平坦なフランジ要素を有する細長いエラストマー部材を備える一つのグローブを提供することである。
【００２９】
本発明の別の目的は、親指の部分全体にわたり配置される細長いエラストマー部材を有し、それによって、その使用することにより、使用中まったく視界を損なわない一つのグローブを提供することである。
【００３０】
本発明の追加の目的は、その説明が実施されると明らかになるであろう。
【課題を解決するための手段】
【００３１】
本発明は、複数の柔軟なブレード状要素を有する親指の部分全体にわたり配置されている細長いエラストマー部材を有し、それによって、着用者の親指の部分が伸ばされ、そして、柔軟なブレード状要素を使用して、たった一度の動作で、その着用者の視界をまったく遮ることなく、目の保護用具の透明な部分を拭き取ることが可能な一つまたは複数のグローブを提供することによって、先行技術の欠点を解消する。
【００３２】
その細長いエラストマー部材は、接着、縫い合わせ、あるいは、リベット締めなどのあらゆる手段によって、前記細長いエラストマー部材を前記グローブの外側層および／または内側層にしっかりと固定するための手段をもたらす、外側のグローブ材料と内側グローブライナーとの間に位置される平坦なフランジ要素に応じて開口を延通する、グローブの外側に配置される複数の柔軟なブレード状要素を有する。
【００３３】
前述のこと、他の目的および利点は、次に続く説明から明らかになるであろう。その説明において、この一部を形成する添付の図面が参照され、そして、本発明が実施されることができる特定の実施例が例として示されている。これらの実施例は、当業者が、本発明を実施することを可能にするほどに十分詳細に説明されており、そして、他の実施例が利用されることができること、そして、構造上の変更が、本発明の範囲から逸脱することなく、行われることができるということは理解されるべきである。添付の図面において、同一の参照符号は、いくつかの図を通して同一部分、あるいは、類似部分を示している。
【００３４】
以下の詳細な説明は、それゆえ、限定の意味で行われるのではなく、そして、本発明の範囲は、添付の特許請求の範囲によって最良に定義される。
【００３５】
本発明がいっそう十分に理解されることができるために、それは、ここでは、例として、添付の図面を参照として説明されるであろう。
【発明を実施するための最良の形態】
【００３６】
本発明がより完全に理解されることができるために、それは、例として、図１乃至図１１がライダーのヘルメットのウインドシールドをきれいにするグローブである本発明を例示する添付の図面を参照として、ここでは、説明される。
【００３７】
図１を参照すると、そこには、スポーツで普通に見かける状態で乗っている２人のスノーモービル乗り１２を示す絵画図が示されている。前方のライダー１６からの雪、あられ、薄氷およびしぶき１４は、湿った粒子物質がライダー１８のヘルメットのひさし２０に蓄積されることがある場合、後方のライダー１８に対して危険な状況を引き起こす。
【００３８】
図２を参照すると、そこには、雨２２の天候状況で乗っている２人のオートバイ乗り１２を示す絵画図が示されている。そのライダーは、親指の部分を伸ばすことによって、本発明のグローブの柔軟なエラストマー要素を使用して、かれらのフェースシールド２０をきれいにし、そして、たった一度の動作で、かれらの視界を完全に遮ることなく、ヘルメットの透明な要素を拭き取ることができる。
【００３９】
図３を参照すると、そこには、スポーツで普通に見かける状態で乗っている２人のＡＴＶライダー１２を示す絵画図が示されている。前方のライダー１６からの雪、あられ、アイシングおよびしぶき１４は、後方のライダー１８に対して危険な視界状況を引き起こす。後部のライダー１８がかぶっているヘルメットのひさしおよびシールド２０に蓄積することがある粒子物質１４が示されている。
【００４０】
図４を参照すると、そこには、使用状態での本発明１０の例示が示されている。その上に湿った粒子物質２６の蓄積が生じた遮蔽されたヘルメットの目の保護用具２４をつけている人２３が示されている。ほぼ親指の基節骨、あるいは、グローブの親指の部分３０全体にわたり配置されている複数の柔軟なエラストマー部材２８を有するグローブ１０を使用して、着用者２３は、親指の部分３０を伸ばし、そして、かれの視界を実質的に遮ることなく、柔軟なエラストマー要素２８で、目の保護用具２４の透明な要素２０を拭き取ることによって、湿った粒子物質２６を迅速に取り除くことができる。
【００４１】
図５を参照すると、そこには、使用状態での本発明１０の別の例示が示されている。その上に湿った粒子物質２６の蓄積が生じた目の保護用具２４をつけている人２３の側面図が示されている。ほぼ親指の基節骨３０全体にわたり配置されている複数の柔軟なエラストマー部材２８を有するグローブ１０を使用して、着用者２３は、親指の部分３０を伸ばし、そして、かれの視界を実質的に遮ることなく、柔軟なエラストマー要素２８で、目の保護用具の透明な要素２０を拭き取ることによって、湿った粒子物質２６を迅速に取り除くことができる。
【００４２】
図６を参照すると、そこには、消火している火からの戻りしぶき１４に打たれている消防士３２を示す別の例示が示されている。ほぼ親指の基節骨全体にわたり配置されている複数の柔軟なエラストマー部材を有するグローブ１０を使用して、着用者は、親指の部分を伸ばし、そして、かれの視界を実質的に遮ることなく、柔軟なエラストマー要素で、目の保護用具２４の透明な要素２０を拭き取ることによって、湿った粒子物質を迅速に取り除くことができる。
【００４３】
図７を参照すると、そこには、本発明１０の斜視図が示されている。目の保護用具の透明な要素を容易に拭き取るための手段をもたらす、複数の突出する柔軟なエラストマー要素２８を有する、グローブ１１の外側シェルと内側ライナーおよび絶縁体との間の親指の部分３０のエリアの外側表面、あるいは、横表面に配置される細長いエラストマーベース部材３４を備えるグローブ１０が示されている。そのベース部材３４の方向付けは、着用者が、親指の部分３０を伸ばし、それによって、視界をまったく遮ることなく、目および顔保護用具の透明な要素との接触位置へ柔軟なエラストマー要素２８を移動し、そして、次に、その遮蔽物が取り除かれるまで、透明な要素全体にわたり柔軟なエラストマー要素２８を選択的に移動することが可能であるような方向付けである。
【００４４】
図８を参照すると、そこには、本発明１０の正面図が示されている。それから延出する複数の突出する柔軟なエラストマーブレード状要素２８を有する、ヘルメットのひさしを拭き取る関係状態に方向付けられる本発明１０の左手のグローブ（そのライダーが右ききであると前提として）の外側エッジに固定して配置される細長いエラストマー部材を備えるグローブ１１が示されている。
【００４５】
図９を参照すると、そこには、示されているように、図８についての本発明１０の断面図である。複数の延出する柔軟なブレード状エラストマー要素２８を有する細長いエラストマー部材３４の外側部分に延通する開口３８を持つ外側層、あるいは、外側シェル３６を備えるグローブ１１が示されている。その細長いエラストマー部材は、接着、縫い合わせ、あるいは、リベット締めなどの技術において周知のあらゆる手段４６によって、前記細長いエラストマーベース部材３４をグローブ１１の外側層３６および／または内側層４２に固定して配置するための手段をもたらす、グローブの外側層３６と内側のグローブライナー４２との間に配置される平坦なフランジ要素４０を有する。絶縁層４４もまた示されている。
【００４６】
図１０を参照すると、そこには、目および顔保護用具の透明な要素に接触し、そして、きれいにするのに使用される複数の長手方向に突出するブレード状要素２８を有する細長いエラストマーインサート部材３４の斜視図が示されている。さらに、外側グローブ材料３６とグローブの内側ライナー４２との間に配置される細長いエラストマー部材の平坦なフランジ部分４０が示されている。前記フランジ４０は、接着、縫い合わせ、あるいは、リベット締めなどの技術において周知のあらゆる手段４６によって、その細長いエラストマー部材３４をグローブ１１の外側層３６および／または内側絶縁体層４４にしっかりと固定するための手段をもたらす。
【００４７】
図１１を参照すると、そこには、グローブ１１の親指部分の一部断面図が示されている。それらの間に接続手段４６を持つ外側部分３６と内側部分４２とを有する細長いエラストマーベース部材３４が示されている。その外側部分３６と内側部分４２との間に、ベースインサート３４の両側に沿って長手方向に延在するフラップ５０によって形成されるチャンネル４８があり、その全体にわたり、外側のグローブ材料３６が存在し、それにより、あらゆる水分が、グローブ１１の内側へ浸透するのを防止する。平坦なベース部材は、グローブの内側ライナー４２へ縫い合わされている４６。細長いエラストマー部材３４の上方表面は、それから延出する複数の隆起部分２８を有する。様々な高さの隆起部分２８は、様々な程度の剛性を有する装置をもたらす。高ければ高いほど隆起部分２８は、柔軟であるのに対して、低ければ低いほど隆起部分は、必要とされるとき、より剛性な適用性をもたらす。
【図面の簡単な説明】
【００４８】
【図１】スポーツで普通に見かける状態で乗っている２人のスノーモービル乗りを示す絵画図である。前方のライダーからの雪、あられ、薄氷およびしぶきは、湿った粒子物質が後方のライダーのヘルメットのひさしに蓄積されることがある場合、後方のライダーに対して危険な状況を引き起こす。
【図２】雨の天候状況で乗っている２人のオートバイ乗りを示す絵画図である。そのライダーは、親指の部分を伸ばすことによって、グローブの柔軟なエラストマー要素を使用してかれらのフェースシールドをきれいにし、そして、たった一度の動作で、かれらの視界を完全に遮ることなく、ヘルメットの透明な要素を拭き取ることができる。
【図３】スポーツで普通に見かける状態で乗っている２人のＡＴＶライダーを示す絵画図である。前方のライダーからの雪、あられ、薄氷およびしぶきは、後方のライダーに対して危険な視界状況を引き起こす。後方のライダーがかぶっているヘルメットのひさしおよびシールドに蓄積することがある粒子物質が示されている。
【図４】使用状態での本発明の例示である。その上に湿った粒子物質の蓄積が生じた遮蔽されたヘルメットの目の保護用具をつけている人が示されている。ほぼ親指の基節骨全体にわたり配置されている複数の柔軟なエラストマー部材を有するグローブを使用して、着用者は、親指の部分を伸ばし、そして、かれの視界を実質的に遮ることなく、柔軟なエラストマー要素で、目の保護用具の透明な要素を拭き取ることによって、湿った粒子物質を迅速に取り除くことができる。
【図５】使用状態での本発明の別の例示である。その上に湿った粒子物質の蓄積が生じた目の保護用具をつけている人の側面図が示されている。ほぼ親指の基節骨全体にわたり配置されている複数の柔軟なエラストマー部材を有するグローブを使用して、着用者は、親指の部分を伸ばし、そして、かれの視界を実質的に遮ることなく、柔軟なエラストマー要素で、目の保護用具の透明な要素を拭き取ることによって、湿った粒子物質を迅速に取り除くことができる。
【図６】消火している火からの戻りしぶきに打たれている消防士を示す別の例示である。ほぼ親指の基節骨全体にわたり配置されている複数の柔軟なエラストマー部材を有するグローブを使用して、着用者は、親指の部分を伸ばし、そして、かれの視界を実質的に遮ることなく、柔軟なエラストマー要素で、目の保護用具の透明な要素を拭き取ることによって、湿った粒子物質を迅速に取り除くことができる。
【図７】本発明の斜視図である。目の保護用具の透明な要素を容易にふき取るための手段をもたらす、複数の突出する柔軟なエラストマー要素を有する、外側親指のエリアに配置される細長いエラストマー部材を備えるグローブが示されている。その配置は、着用者が、親指の部分を伸ばし、視界をまったく遮ることなく、目および顔保護用具の透明な要素との接触位置へ柔軟なエラストマー要素を移動し、そして、その遮蔽物が取り除かれるまで、透明な要素全体にわたり柔軟なエラストマー要素を選択的に移動することが可能であるような配置である。
【図８】本発明の正面図である。それから延出する複数の突出する柔軟なエラストマーブレード状要素を有するグローブの外側に固定して配置される細長いエラストマー部材を備えるグローブが示されている。
【図９】示されているように、図８についての本発明の断面図である。複数の延出する柔軟なブレード状エラストマー要素を有する細長いエラストマー部材の外側部分に延通する開口を持つ外側層を備えるグローブが示されている。その細長いエラストマー部材は、接着、縫い合わせ、あるいは、リベット締めなどの技術において周知のあらゆる手段によって、前記細長いエラストマー部材を前記グローブの外側層および／または内側層に固定して配置するための手段をもたらす、グローブの外側層と内側のグローブライナーとの間に配置される平坦なフランジ要素を有する
【図１０】目および顔保護用具の透明な要素に接触し、そして、きれいにするのに使用される複数の長手方向に突出するブレード状要素を有する細長いエラストマー部材の斜視図である。さらに、外側グローブ材料とグローブの内側ライナーとの間に配置される細長いエラストマー部材の平坦なフランジ部分が示されている。そのフランジは、接着、縫い合わせ、あるいは、リベット締めなどの技術において周知のあらゆる手段によって、その細長いエラストマー部材をそのグローブの外側層および／または内側層にしっかりと固定するための手段をもたらす。
【図１１】グローブの上方親指部分の一部断面図である。それらの間に接続手段を持つ外側部分と内側部分とを有する細長いエラストマー部材が示されている。外側部分と内側部分との間に、両側に沿って長手方向に延在するチャンネルがあり、その両側に、外側のグローブ材料が存在し、それにより、あらゆる水分が、グローブの内側へ浸透するのを防止する。平坦なベース部材は、前記グローブの内側ライナーへ縫い合わされている。  細長いエラストマー部材の上方表面は、それから延出する複数の隆起部分を有する。様々な高さの隆起部分は、様々な程度の剛性を有する装置をもたらす。高ければたかいほど隆起部分は、柔軟であるのに対して、低ければ低いほど隆起部分は、必要とされるとき、より剛性な適用性をもたらす。
【符号の説明】
【００４９】
使用されている参照符号に関して、以下の符号付けは、図面を通して使用されている。
１０  本発明  １１  グローブ  １２  スノーモービル／オートバイ／ＡＴＶ
１４  しぶき  １６  前方のライダー  １８  後方のライダー
２０  ひさし  ２２  雨  ２３  人  ２４  ヘルメット  ２６  粒子物質
２８  エラストマーブレード部材
３０  親指の部分  ３２  消防士
３４  細長いベース部材  ３６  外側層  ３８  外側層の開口
４０  フランジ  ４２  内側層  ４４  絶縁体
４６  アタッチメント手段  ４８  チャンネル  ５０  フラップ
【図１】
2005513303.tif 000003
【図２】
2005513303.tif 000004
【図３】
2005513303.tif 000005
【図４】
2005513303.tif 000006
【図６】
2005513303.tif 000007
【図５】
2005513303.tif 000008
【図７】
2005513303.tif 000009
【図８】
2005513303.tif 000010
【図９】
2005513303.tif 000011
【図１０】
2005513303.tif 000012
【図１１】
2005513303.tif 000013
【国際調査報告】
2005513303.tif 000014
2005513303.tif 000015